(57)【特許請求の範囲】
【請求項１】
電動補助機能を備えるラチェットレンチであって、レンチ本体、ラチェット装置、戻り止め装置、動力装置、ギア装置及び切換装置を有し、
前記レンチ本体は、ハンドル端及びヘッド端を有し、前記ヘッド端は収容槽を有し、
前記ラチェット装置は、第一軸線に沿って、前記収容槽に回転するように設置され、前記ラチェット装置は、円環状歯車を有し、
前記戻り止め装置は、前記収容槽に設置され、しかも選択的に前記円環状歯車と噛み合い、
前記動力装置は、前記レンチ本体に設置され、前記動力装置は、伝動軸を有し、電力に駆動されて回転し、前記伝動軸は、第二軸線方向に沿って伝動ギアを設置し、前記第二軸線と前記第一軸線とは垂直で、
前記ギア装置は、第三軸線に沿って前記収容槽に設置され、第一位置と第二位置の間で前記レンチ本体に相対して移動し、前記第三軸線と前記第一軸線は平行で、前記ギア装置は、第一ギア、第二ギア、ならびに前記第一ギア及び前記第二ギアを串刺しする作動軸を有し、前記作動軸は、前記第一ギアと前記第二ギアを連動でき、前記伝動ギアと選択的に噛み合い、前記円環状歯車に動力を伝達し、
前記切換装置は、前記レンチ本体に回転するように設置され、前記作動軸と連結し、前記作動軸を連動して前記レンチ本体に相対して移動させ、前記第一位置にある時には、前記第一ギアは、前記伝動ギアから離脱し、前記第二ギアは、前記伝動ギアに噛み合い、これにより前記伝動ギアは、前記第二ギアを経て前記円環状歯車の回転を駆動して前記ラチェット装置は逆時計回り回転でき、
前記第二位置にある時には、前記第二ギアは、前記伝動ギアから離脱し、前記第一ギアは、前記伝動ギアに噛み合い、これにより前記伝動ギアは、前記第一ギアを経て、前記円環状歯車の回転を駆動して前記ラチェット装置は時計回り回転ができる
ことを特徴とする、
電動補助機能を備えるラチェットレンチ。
【請求項２】
押し上げ部材をさらに有し、
前記押し上げ部材は、前記作動軸と前記切換装置の間に係合固定して設置され、前記押し上げ部材は、前記切換装置の回転に従い移動を生じ、
前記第一位置にある時には、前記第二ギアは、前記伝動ギアに噛み合い、前記第一位置から前記第二位置へと変換されると、前記押し上げ部材により、前記作動軸は前記第一ギアを連動し前記伝動ギア方向に向かわせ噛み合い、しかもこれにより前記第二ギアは前記伝動ギアから離脱する
ことを特徴とする、
請求項１に記載の電動補助機能を備えるラチェットレンチ。
【請求項３】
前記第一ギアと前記第二ギアの間には、伝達部材を設置し、前記伝達部材は前記作動軸に嵌めて設置し、
前記第二位置にある時には、前記伝達部材は前記第一ギアに押され、前記第二ギアを押して前記伝動ギアから離れさせる
ことを特徴とする、
請求項２に記載の電動補助機能を備えるラチェットレンチ。
【請求項４】
前記押し上げ部材と前記切換装置の底面には、凹凸接合の第一結合部、第二結合部、及び前記第一結合部と前記第二結合部の間に連接する斜面部をそれぞれ有し、
前記第一位置にある時には、前記切換装置の第一結合部は、前記押し上げ部材の第二結合部に接合し、前記切換装置の第二結合部は、前記押し上げ部材の第一結合部に接合し、しかも両者の斜面部は相互に接触し、前記第一位置から前記第二位置へと変換されると、前記切換装置の第一結合部は、前記押し上げ部材の斜面部に沿って、前記押し上げ部材の第一結合部まで移動し、前記押し上げ部材は移動動作を生じる
ことを特徴とする、
請求項２に記載の電動補助機能を備えるラチェットレンチ。
【請求項５】
前記押し上げ部材と前記切換装置の前記第一結合部、前記第二結合部及び前記斜面部はそれぞれ２個で、しかも前記第三軸線を取り囲み環状排列を呈して設置される
ことを特徴とする、
請求項４に記載の電動補助機能を備えるラチェットレンチ。
【請求項６】
弾性部材をさらに有し、
前記弾性部材は、前記レンチ本体と前記作動軸の間に設置され、これにより前記押し上げ部材は、常態的に前記切換装置に向かう態勢を備える
ことを特徴とする、
請求項２に記載の電動補助機能を備えるラチェットレンチ。
【請求項７】
前記作動軸は、連結端、及び反対に設置される接触端を有し、前記連結端と前記接触端の間には、非円形の係合定位部を有し、前記押し上げ部材は、非円形の係合孔を有し、前記係合定位部に対応する
ことを特徴とする、
請求項６に記載の電動補助機能を備えるラチェットレンチ。
【請求項８】
前記収容槽には、バネ槽を設置し、前記連結端は、前記切換装置に連結し、前記弾性部材は前記バネ槽に設置され、前記接触端に突っ張り、
前記切換装置は、連結孔を有し、前記連結端はこれを通して設置され、前記バネ槽と前記接触端の断面は非円形である
ことを特徴とする、
請求項７に記載の電動補助機能を備えるラチェットレンチ。
【請求項９】
前記伝動ギアは傘ギアで、
前記第一ギアは、第一斜め歯及び第一外円環状歯車を有し、
前記第二ギアは、第二斜め歯及び第二外円環状歯車を有し、
前記第一位置にある時には、第二斜め歯は、前記伝動ギアに噛み合い、前記第二外円環状歯車は、前記円環状歯車に噛み合い、
前記第二位置にある時には、第一斜め歯は、前記伝動ギアに噛み合い、前記第一外円環状歯車は、前記円環状歯車に噛み合う
ことを特徴とする、
請求項２に記載の電動補助機能を備えるラチェットレンチ。
【請求項１０】
前記レンチ本体は、取り付け孔を有し、前記第三軸線と共軸に設置し、しかも前記収容槽に連通し、
前記切換装置は、前記取り付け孔に回転するように設置され、前記戻り止め装置は、第一戻り止めブロック及び第二戻り止めブロックを有し、前記収容槽に共同で枢設され、常態的に前記円環状歯車に向かい、
前記切換装置は、方向制御部を有し、前記方向制御部の周縁には、推動面を有し、前記推動面は、前記第一戻り止めブロック或いは前記第二戻り止めブロックに選択的に突っ張り、これにより前記第一戻り止めブロック或いは前記第二戻り止めブロックは、前記円環状歯車に噛み合わず、
前記レンチ本体は、棒体及び蓋体を有し、前記収容槽と前記動力装置は、前記棒体と前記蓋体の間に設置され、前記動力装置は、モーター、スイッチ及び電池を有し、前記スイッチは、前記ハンドル端に露出し、しかも前記モーターに電気的に連接され、前記モーターは、前記伝動軸に動力連接され、前記電池は、前記モーターと前記スイッチに電気的に連接される
ことを特徴とする、
請求項９に記載の電動補助機能を備えるラチェットレンチ。
【発明の詳細な説明】
【技術分野】
【０００１】
本発明はラチェットレンチに関し、特に電動補助機能を備えるラチェットレンチに関する。
【背景技術】
【０００２】
通常のラチェットレンチは、切換部材によりレンチの時計回り或いは逆時計回りの回転操作を制御し、狭小空間或いは特定の作業場所に適用する。
【０００３】
従来のラチェットレンチは人手により螺合固定部材を回すが、螺合固定部材が締め付けられるまでは、軽い負荷状態にある。
この時、ラチェットレンチに従い螺合固定部材が同期に回転してしまい、固定位置にねじ込めず、作業上の不便を招く恐れがある。
【発明の概要】
【発明が解決しようとする課題】
【０００４】
前記先行技術には、ラチェットレンチに従い螺合固定部材が同期に回転してしまい、固定位置にねじ込めず、作業上の不便を招く欠点がある。
【課題を解決するための手段】
【０００５】
本発明は時計回り及び逆時計回りの過程において、軽負荷状態にある時、電動補助の効果を備え、螺合回転操作に便利な電動補助機能を備えるラチェットレンチに関する。
【０００６】
本発明による電動補助機能を備えるラチェットレンチは、レンチ本体、ラチェット装置、戻り止め装置、動力装置、ギア装置及び切換装置を有する。
レンチ本体は、ハンドル端及びヘッド端を有し、ヘッド端は収容槽を有する。
ラチェット装置は、第一軸線に沿って、収容槽に回転するように設置され、ラチェット装置は、円環状歯車を有する。
戻り止め装置は、収容槽に設置され、しかも選択的に円環状歯車と噛み合う。
動力装置は、レンチ本体に設置され、動力装置は、伝動軸を有し、電力に駆動されて回転し、伝動軸は、第二軸線方向に沿って伝動ギアを設置し、第二軸線と第一軸線とは垂直である。
ギア装置は、第三軸線に沿って、収容槽に設置され、第一位置と第二位置の間で、レンチ本体に相対し移動し、第三軸線と第一軸線は平行で、ギア装置は、第一ギア、第二ギア、ならびに第一ギア及び第二ギアを串刺しする作動軸を有する。
作動軸は、第一ギアと第二ギアを連動し、伝動ギアと選択的に噛み合い、動力を円環状歯車に伝達する。
切換装置は、レンチ本体に回転するように設置され、作動軸と連結し、作動軸を連動でき、第三軸線に沿ってレンチ本体に相対し移動する。
第一位置にある時、第一ギアは伝動ギアから離脱し、第二ギアは伝動ギアに噛み合い、これにより伝動ギアは、第二ギアを通して、円環状歯車の回転を駆動し、ラチェット装置は時計回りに回転する。
第二位置にある時、第二ギアは伝動ギアから離脱し、第一ギアは伝動ギアに噛み合い、伝動ギアは第一ギアを経て円環状歯車の回転を駆動し、ラチェット装置は逆時計回りに回転する。
【０００７】
上記のように、本発明によるラチェットレンチは手動及び電動の駆動機能を備える。
これにより、手動操作時には、大きなトルクで螺合固定部材を回すことができ、螺合固定部材が軽負荷状態にある時には電動モードを利用し、ラチェット装置は電力駆動を受け螺合固定部材を連動し、螺合回転作業を行うことができる。
【図面の簡単な説明】
【０００８】
【図１】本発明による電動補助機能を備えるラチェットレンチの外観模式図である。
【図２】本発明による電動補助機能を備えるラチェットレンチの構造分解模式図である。
【図３】本発明による電動補助機能を備えるラチェットレンチの切換装置の構造模式図である。
【図４】本発明による電動補助機能を備えるラチェットレンチのギア装置の構造模式図である。
【図５】図１の５-５線でカットした断面模式図である。
【図６】本発明による電動補助機能を備えるラチェットレンチの局部断面模式図で、ギア装置が第一位置にあり、第二ギアが伝動ギアに噛み合う様子を示す。
【図７】本発明による切換装置と押し上げ部材の結合状態模式図で、第一位置にある時、切換装置と押し上げ部材が凹凸対応状態を呈することを示す。
【図８】本発明による電動補助機能を備えるラチェットレンチの別の視角からの断面模式図で、ラチェットレンチの逆時計回り操作を示す。
【図９】本発明による電動補助機能を備えるラチェットレンチの局部断面模式図で、ギア装置が第二位置にあり、第一ギア伝動ギアに噛み合う様子を示す。
【図１０】本発明による切換装置と押し上げ部材の結合状態模式図で、第二位置にある時、切換装置の第一結合部が押し上げ部材の第一結合部に接触する様子を示す。
【図１１】本発明による電動補助機能を備えるラチェットレンチの別の視角からの断面模式図で、ラチェットレンチの時計回り操作を示す。
【発明を実施するための形態】
【０００９】
（一実施形態）
図１〜図１１に示す通り、本発明による電動補助機能を備えるラチェットレンチ１００は、レンチ本体１０、ラチェット装置２０、戻り止め装置３０、動力装置４０、ギア装置５０及び切換装置６０を有する。
【００１０】
レンチ本体１０は、ハンドル端１１及びヘッド端１２を有し、ヘッド端１２は収容槽１３を有する。
本発明実施形態中では、レンチ本体１０は、棒体１４及び蓋体１５を有する。
棒体１４と蓋体１５は、相互に結合し、前述のパーツを両者間に設置する。
収容槽１３は、棒体１４と蓋体１５の間に設置され、収容槽１３は、一部が重なり、しかも相互に連通する第一槽１３１及び第二槽１３２を有する。
第一槽１３１の両端は、第一穿孔１４１及び第二穿孔１５１にそれぞれ連通し、第一穿孔１４１は、棒体１４に設置され、第二穿孔１５１は、蓋体１５に設置される。
この他、棒体１４は縦方向に沿って長槽１４２を設置し、収容槽１３に連通する。
棒体１４は、第一穿孔１４１の片側に、取り付け孔１６を設置し、第二槽１３２に連通する。
ハンドル端１１は、スイッチ孔１７を有する。
収容槽１３にはバネ槽１８をさらに設置し、バネ槽１８は蓋体１５に設置される。
【００１１】
ラチェット装置２０は、第一軸線Ｌ１に沿って、収容槽１３の第一槽１３１に回転するように設置される。
ラチェット装置２０の外周縁には、円環状歯車２１を有する。
本発明実施形態中では、ラチェット装置２０は、一端に、係合固定部２２を設置し、第二穿孔１５１から伸び出す。
係合固定部２２は四角形で、これによりスリーブに繋げ、スリーブにより螺合固定部材に繋げられる。
ラチェット装置２０の反対端は、第一穿孔１４１に露出する。
【００１２】
戻り止め装置３０は、収容槽１３の第二槽１３２に設置され、しかも選択的に円環状歯車２１と噛み合う。
本発明実施形態中では、戻り止め装置３０は、第一戻り止めブロック３１、第二戻り止めブロック３２及び２個のバネ３３を有する。
第一戻り止めブロック３１及び第二戻り止めブロック３２は、第二槽１３２に共同で枢設され、しかも各バネ３３はそれぞれ第一戻り止めブロック３１、第二戻り止めブロック３２、第二槽１３２の内壁に突っ張り、これにより第一戻り止めブロック３１、第二戻り止めブロック３２は常態的に円環状歯車２１に向かう。
【００１３】
動力装置４０は、レンチ本体１０に設置され、棒体１４と蓋体１５の間に位置する。
動力装置４０は、伝動軸４１、伝動ギア４２、モーター４３、スイッチ４４及び電池４５を有する。
伝動軸４１は、長槽１４２に設置され、伝動軸４１は、第二軸線Ｌ２方向に沿って、伝動ギア４２を設置し、しかも第二槽１３２に向かう。
伝動ギア４２は傘ギアで、第二軸線Ｌ２と第一軸線Ｌ１は垂直である。
モーター４３は、伝動ギア４２とは異なる方向に、伝動軸４１に動力連接する。
別種の実施形態中では、モーター４３と伝動軸４１の間は、連動軸部材４６により動力連結する。
スイッチ４４は、ハンドル端１１に設置し、しかもスイッチ孔１７において突出する。
電池４５は、モーター４３後方に設置し、電池４５はモーター４３とスイッチ４４に電気的に連接する。
これにより、スイッチ４４は、モーター４３の運転を起動し、伝動軸４１は電力駆動回転の目的を達成され、しかも伝動ギア４２は旋回動作を行う。
この他、別種の実施形態中では、２個のサポート部材４７をさらに有し、長槽１４２の両端にそれぞれ設置され、伝動軸４１を支える。
【００１４】
ギア装置５０は、第三軸線Ｌ３に沿って、収容槽１３の第二槽１３２に設置され、第一位置と第二位置の間で、レンチ本体１０に相対し移動する。
第三軸線Ｌ３と第一軸線Ｌ１は平行である。
ギア装置５０は、第一ギア５１、第二ギア５２、ならびに第一ギア５１及び第二ギア５２を串刺しする作動軸５３を有する。
本発明実施形態中では、押し上げ部材５４及び伝達部材５５をさらに有する。
図３及び図５に示す通り、作動軸５３は、連結端５３１、接触端５３２及び係合定位部５３３を有する。
係合定位部５３３は、連結端５３１と接触端５３２の間に設置される。
作動軸５３の接触端５３２は、バネ槽１８に設置され、弾性部材５６に押して保持される。
バネ槽１８と接触端５３２の断面は非円形で、これにより両者は相対回転しない。
係合定位部５３３は非円形で、押し上げ部材５４は、非円形の係合孔５４ａを有し、係合定位部５３３に適合し、これにより両者は相対回転しない。
この他、押し上げ部材５４は、第一ギア５１片側に設置され、第二ギア５２から離れる。
即ち第一ギア５１は押し上げ部材５４と第二ギア５２の間に位置し、伝達部材５５は作動軸５３に嵌めて設置され、第一ギア５１と第二ギア５２の間に位置する。
作動軸５３が移動すると、作動軸５３は第一ギア５１と第二ギア５２を連動して、選択的に伝動ギア４２と噛み合い、動力を円環状歯車２１に伝達する。
本発明実施形態中では、第一ギア５１は、第一斜め歯５１１及び第一外円環状歯車５１２を有し、第二ギア５２は、第二斜め歯５２１及び第二外円環状歯車５２２を有する。
【００１５】
押し上げ部材５４の頂面には、第一結合部５４１、第二結合部５４２、及び第一結合部５４１と第二結合部５４２の間に連接する斜面部５４３を有する。
本発明実施形態中では、第一結合部５４１は２個で、かつ凸状を呈し、第二結合部５４２は２個で、かつ凹状を呈し、斜面部５４３は２個で、かつ三者は第三軸線Ｌ３を巡って環状排列設置を呈する（図２及び図５参照）。
【００１６】
切換装置６０は、レンチ本体１０に回転するように設置され、作動軸５３の連結端５３１と連結する。
切換装置６０は、正回転位置と逆回転位置で切換動作が行え、これによりラチェットレンチ１００は時計回り或いは逆時計回りの操作を行う。
切換装置６０は、作動軸５３を連動でき、第三軸線Ｌ３に沿ってレンチ本体１０に相対し移動する。
弾性部材５６を、レンチ本体１０と作動軸５３の間に設置することで、押し上げ部材５４は、常態的に切換装置６０に向かう態勢を備える。
図６に示す通り、第一位置にある時、第一ギア５１は伝動ギア４２から離脱し、第二ギア５２は伝動ギア４２に噛み合い、しかも第二斜め歯５２１は、伝動ギア４２に噛み合う。
第二外円環状歯車５２２は、円環状歯車２１に噛み合い、これにより伝動ギア４２は、第二ギア５２を通して、円環状歯車２１の回転を駆動する。
これにより、ラチェット装置２０は、図８に示す通り、逆時計回りに回転する。
図１０に示す通り、第二位置にある時、第二ギア５２は伝動ギア４２から離脱し、第一ギア５１は伝動ギア４２に噛み合い、しかも第一斜め歯５１１は、伝動ギア４２に噛み合う。
第一外円環状歯車５１２は、円環状歯車２１に噛み合い、これにより伝動ギア４２は、第一ギア５１を経て円環状歯車２１の回転を駆動する。
こうして、ラチェット装置２０は、図１１に示す通り、時計回りに回転する。
【００１７】
本発明実施形態中では、図２、図４及び図５に示す通り、切換装置６０は、取り付け孔１６に回転するように設置される。
取り付け孔１６と第三軸線Ｌ３は共軸である。
切換装置６０は、係止盤６０ａを有し、係止盤６０ａは、取り付け孔１６の内側に位置し、係止を形成し、これにより切換装置６０は脱出しない。
係止盤６０ａの底面には、方向制御部６１を設置し、方向制御部６１の周縁には、推動面６１１及び両側面６１２を有する。
推動面６１１は、第一戻り止めブロック３１或いは第二戻り止めブロック３２を選択的に突っ張る。
これにより、第一戻り止めブロック３１或いは第二戻り止めブロック３２は、円環状歯車２１に噛み合わない（図８及び図１１参照）。
切換装置６０は、操作部６２を有し、係止盤６０ａとは異なる片側に延伸する。
しかも、方向制御部６１の中央には、連結孔６３を有し、これにより作動軸５３の連結端５３１を通して連接する。
【００１８】
押し上げ部材５４は、作動軸５３と切換装置６０の間に係合固定され、これにより押し上げ部材５４は、切換装置６０の方向転換回転に従い、移動を生じる。
図６に示す第一位置にある時、第二ギア５２は伝動ギア４２に噛み合う。
第一位置から第二位置へと変換されると、押し上げ部材５４により作動軸５３は第一ギア５１を連動し、伝動ギア４２方向へと噛み合い、伝達部材５５は第一ギア５１に押され、第二ギア５２を伝動ギア４２から離す。
これにより、第二ギア５２は伝動ギア４２から離脱し噛み合わない（図１０参照）。
【００１９】
図３〜図６に示す通り、切換装置６０の方向制御部６１の前側には、押し上げ部材５４の第一結合部５４１、第二結合部５４２及び斜面部５４３と相互に凹凸接合する第一結合部６４、第二結合部６５及び斜面部６６を有する。
方向制御部６１の第一結合部６４は２個で、かつ凸状を呈し、第二結合部６５は２個で、かつ凹状を呈し、斜面部６６は２個で、しかも三者は第三軸線Ｌ３を取り囲み、環状排列を呈して設置される。
第一位置にある時、切換装置６０の第一結合部６４は、押し上げ部材５４の第二結合部５４２に接合し、切換装置６０の第二結合部６５は、押し上げ部材５４の第一結合部５４１に接合し、しかも両者の斜面部６６、５４３は相互に接触する（図７参照）。
第一位置から第二位置へと変換されると、切換装置６０の第一結合部６４は、押し上げ部材５４の斜面部５４３に沿って、押し上げ部材５４の第一結合部５４１へ移動し（図１０参照）、これにより押し上げ部材５４は、第三軸線Ｌ３上で移動動作を生じる。
こうして、第一ギア５１を伝動ギア４２に噛み合わせ、及び第二ギア５２を伝動ギア４２から離脱させる目的を達成する（図６参照）。
【００２０】
図８に、図６及び図７に対応して示す通り、切換装置６０は、逆回転位置へと切換えでき、これにより方向制御部６１の推動面６１１は、第一戻り止めブロック３１を押し開き、こうして円環状歯車２１と噛み合わず、第二戻り止めブロック３２は、円環状歯車２１に噛み合う。
こうすることで、ラチェット装置２０は、逆時計回りの回転状態となり、これによりレンチは正回転操作される。
この時、図６及び図７に示すように、第一位置にあり、切換装置６０と押し上げ部材５４は凹凸接合状態を呈する。
これにより、第一ギア５１は、伝動ギア４２に噛み合わず、第二ギア５２は伝動ギア４２と円環状歯車２１の間に噛み合い、伝動ギア４２は第二ギア５２を通して円環状歯車２１を駆動する。
こうして、ラチェット装置２０は、伝動軸４１が伝達する動力を受け、逆時計回り回転を生じる。
【００２１】
図１１に、図９及び図１０に対応して示す通り、切換装置６０は、正回転位置へと切換えられ、これにより方向制御部６１の推動面６１１は、第二戻り止めブロック３２を押し開き、これにより円環状歯車２１と噛み合わず、第一戻り止めブロック３１は、円環状歯車２１に噛み合う。
こうすることで、ラチェット装置２０は、時計回り回転状態となり、レンチは逆回転操作される。
この時、図９及び図１０に示す通り、第二位置にあり、切換装置６０は回転操作により、切換装置６０の第一結合部６４は、押し上げ部材５４の斜面部５４３に沿って押し上げ部材５４の第一結合部５４１まで移動し、押し上げ部材５４を、第三軸線Ｌ３において、蓋体１５方向へと押して動かす。
これにより、第一ギア５１は伝動ギア４２方向へと移動し、それと噛み合い、同時に伝達部材５５を押し、第二ギア５２を伝動ギア４２から離脱させる。
こうして、伝動ギア４２は、第一ギア５１を経て、円環状歯車２１を駆動し、ラチェット装置２０は伝動軸４１が伝達する動力を受け時計回り回転を生じる。
【００２２】
これにより、本発明の第一軸線Ｌ１はスリーブを回す際の回転軸となり、大トルクによる操作時には、作業人員は、第一軸線Ｌ１を直接の回転軸とした正回転或いは逆回転で、レンチ本体１０を回し、スリーブを動かす作業を行うことができる。
螺合固定部材が軽負荷状態にある時に、大トルクにより操作すれば、螺合固定部材は、ラチェットレンチ１００に従い同期に回転し、作業を行うことができない。
そのため、作業人員は、本発明の電動モードを利用すれば、ラチェット装置２０は電力に駆動され、螺合固定部材を連動し、螺合回転作業を行うことができる。
【００２３】
前述した本発明の実施形態は本発明を限定するものではなく、よって、本発明により保護される範囲は後述される特許請求の範囲を基準とする。
【符号の説明】
【００２４】
１００  ラチェットレンチ、
１０  レンチ本体、
１１  ハンドル端、
１２  ヘッド端、
１３  収容槽、
１３１  第一槽、
１３２  第二槽、
１４  棒体、
１４１  第一穿孔、
１４２  長槽、
１５  蓋体、
１５１  第二穿孔、
１６  取り付け孔、
１７  スイッチ孔、
１８  バネ槽、
２０  ラチェット装置、
２１  円環状歯車、
２２  係合固定部、
３０  戻り止め装置、
３１  第一戻り止めブロック、
３２  第二戻り止めブロック、
３３  バネ、
４０  動力装置、
４１  伝動軸、
４２  伝動ギア、
４３  モーター、
４４  スイッチ、
４５  電池、
４６  連動軸部材、
４７  サポート部材、
５０  ギア装置、
５１  第一ギア、
５１１  第一斜め歯、
５１２  第一外円環状歯車、
５２  第二ギア、
５２１  第二斜め歯、
５２２  第二外円環状歯車、
５３  作動軸、
５３１  連結端、
５３２  接触端、
５３３  係合定位部、
５４  押し上げ部材、
５４１  第一結合部、
５４２  第二結合部、
５４３  斜面部、
５５  伝達部材、
５６  弾性部材、
６０  切換装置、
６０ａ  係止盤、
６１  方向制御部、
６１１  推動面、
６１２  側面、
６２  操作部、
６３  連結孔、
６４  第一結合部、
６５  第二結合部、
６６  斜面部、
Ｌ１  第一軸線Ｌ、
Ｌ２  第二軸線、
ＬＬ３  第三軸線Ｌ、
５４ａ  係合孔。
【要約】      （修正有）【課題】電動補助機能を備えるラチェットレンチを提供する。【解決手段】電動補助機能を備えるラチェットレンチはレンチ本体１０、ラチェット装置２０、戻り止め装置３０、動力装置４０、ギア装置５０、切換装置６０を有し、切換装置６０により戻り止め装置３０はラチェット装置２０に選択的に噛み合い、これにより時計回り及び逆時計回り操作を行い、時計回りと逆時計回りの切換過程において、切換装置６０によりギア装置５０の第一ギア５１及び第二ギア５２は動力装置４０の伝動ギア４２と選択的に噛み合い、動力装置４０は動力をラチェット装置２０に伝達し、ラチェット装置２０を制御して時計回り或いは逆時計回りに回転させる。【選択図】図２【図１】
0006948439.tif 000002
【図２】
0006948439.tif 000003
【図３】
0006948439.tif 000004
【図４】
0006948439.tif 000005
【図５】
0006948439.tif 000006
【図６】
0006948439.tif 000007
【図７】
0006948439.tif 000008
【図８】
0006948439.tif 000009
【図９】
0006948439.tif 000010
【図１０】
0006948439.tif 000011
【図１１】
0006948439.tif 000012